(57)【要約】  本発明は、溶融物（１３）を加熱する抵抗ヒーターと、るつぼ（１１）内で交番磁界を生じさせる電界コイル（導体）とを通常備え、それによって電流を溶融物に通電させる液晶成長ユニットに関するものである。本発明によると、抵抗ヒーターが磁界コイルとして組み込まれ、言い換えると中空円筒体（１）によって形成され、その中に螺旋状で単一層の電流路が周縁スロット（２）によって形成される。本発明はユニットを加熱するために必要な電流を、移動磁界を発生させるためにも使用される。そのために、分離電界コイルまたは磁界用の分離電力供給部が必要である。コイル構成部として組み込まれる電界コイルのようにも作用する抵抗ヒーターは、高温抵抗であり、ユニットの熱コア、すなわち溶融領域を直接囲む。従って磁界を発生させるのに必要な寸法は、最小になる。磁界は結晶成長ユニットの外板壁を越えて広がることはなく、前記外板壁が通常の鉄外板として組み込みできる。
2007509026.tif 000002
【特許請求の範囲】
【請求項１】
溶融物（１３，２３）用の加熱るつぼ（１１，２１）と、溶融物（１３，２３）用に磁界を発生させるためにるつぼに関して同軸配置されたコイルアレイとを備え、コイルアレイが三個かそれ以上のコイルを具備し、それらのコイルが軸線方向に上下に配置され、各々に交流電流が流れ、コイルの交流電流が隣のコイルの交流電流と位相をずれている、特に半導体結晶成長装置のような結晶成長装置において、
コイルが導電性材料の中空円筒体（１）から作られ、スリット（２）を何度か巻くことによって、導電性材料が単一の層状に積み重なった螺旋状電流路を形成し、電流路が電力供給部に接続され得る接触ポイント（３，４，５，５）によって、セグメントに分割され、その各々がコイルを形成することを特徴とする結晶成長装置。
【請求項２】
三個のコイルがユニットを形成し、星形または三角結線の形で電気的に接続され、それによりコイルが回路によって回転電流源（１７）の電極に接続されることを特徴とする請求項１に記載の結晶成長装置。
【請求項３】
加えてコイルが、直流電源に接続されることを特徴とする請求項１または２に記載の結晶成長装置。
【請求項４】
巻回スリット（２）が、中空円筒体（１）を囲むように同じ方向に延びることを特徴とする請求項１に記載の結晶成長装置。
【請求項５】
軸線方向の上下に配列し、三個のコイルを形成するセグメントが、回転電流源（１７）の位相に関連して各々二個の接触ポイント（３，４，５，６）を有することを特徴とする請求項２に記載の結晶成長装置。
【請求項６】
接触ポイント（３，４，５，６）が、中空円筒形体（１）の横面の外側または内側に延びる導電性レール（７，８，９）に接続され、導電性レールが、中空円筒体（１）の端部で回転電流源（１７）の位相に関連した接続部において終端することを特徴とする請求項５に記載の液晶成長装置。
【請求項７】
レールトラック（７，８，９）が、抵抗加熱要素として使用され、そのために直流電流源に接続されることを特徴とする請求項６に記載の結晶成長装置。
【請求項８】
ここのコイルが互いに星形結線で接続されており、そこで中空円筒体の長手に沿って伸長し、すべてのコイルと接触するメイントラックが、直流電流源に接続されることを特徴とする請求項１に記載の結晶成長装置。
【請求項９】
中空円筒体（１）が、るつぼ（１１，１２）の外部であるが、るつぼ（１１，２１）を囲む容器（１０，２０）の内部に配置されることを特徴とする請求項１に記載の結晶成長装置。
【発明の詳細な説明】
【技術分野】
【０００１】
本願は、2003年10月23日に提出されたドイツ国特許出願明細書第103 49 339.5の優先権を主張し、本願はその引例を全体的に組み込んでいる。
本願は、結晶成長装置、特に半導体結晶成長装置に関連し、溶融物用の加熱るつぼ及びるつぼに同軸配置されたコイルアレイを、溶融物に磁界を発生させるために備え、コイルアレイが三個かそれ以上のコイルから成り、それらのコイルは軸線方向に一方が他方の上に設けられ、各コイルを介して別個の電流が隣のコイルと位相をずらして流れる。
【背景技術】
【０００２】
溶融物から半導体結晶の成長の際、溶融した塊体の流れとそれに関連する対流熱輸送（convective heat transport）が、界面の形で生じる温度分布と、成長する結晶、すなわち最終的に結晶の到達し得る品質において生じる熱応力に関して、重大な役割を担う。更に、界面において対流により生じ得る温度変動が、製造プロセスにおいて単結晶産出時に重要な役割を果たすことができる。従って熱対流が、例えばツォクラルスキー法（CZ）によるシリコン単結晶の成長時に、特に溶融物の初期重量の増加と共に、著しい温度変動に関連する溶融塊体の乱流を生じさせる。この問題を解決するため、渦電流ブレーキの原理による溶融塊体の流れを低下させる静的磁界（static magnetic fields）と、発生する対流を制御でき且つ乱浮遊対流（turbulent buoyant convection）を妨げる時間依存性の磁界（time-dependent magnetic fields）の使用が提案され、これまで技術的に行われている。
【０００３】
時間依存性の電界の使用は、乱対流を抑制できない可能性を除いて、弱く判然としない対流を有するか含まない溶融物内でも、溶融物の目標とする流れを推進できるという利点がある。ゆえに垂直温度勾配凝固法（VGF法）による複合半導体結晶（compound semiconductor crystals）の成長における熱層の安定した成層は、熱浮遊対流が生じないようにし、溶融物における熱輸送が明らかに広まる。その場合、時間依存性の電界によって発生する溶融物における対流が、成長のレイアウトにおいて効果的な熱輸送と温度分布を増やし、最終的に界面の形に好適な効果を与えることができる。
【発明の開示】
【発明が解決しようとする課題】
【０００４】
しかし、これまでのシステムは全ての点で満足のいくものではなかった。それは特に溶融物を熱する抵抗ヒーターの抵抗加熱要素のアレイと、磁界発生用のコイルのアレイが大きな場所を必要としていたからである。更に一方で垂直温度勾配凝固法（VGF）により動作する装置内への設置が、ツォクラルスキー法（CZ）により動作する装置とは基本的に異なっていることも考慮する必要がある。VGF法は、高圧で作動するので、高圧に対抗するため沸騰容器を鉄で作る必要がある。しかし鉄製容器は容器の外部に配列されたコイルによって生じる電界を殆ど遮断するので、窒化ホウ素またはクォーツガラスから作られた溶融物のるつぼの内部で、溶融物を完全に混合するため不適当に強い移動磁界（traveling magnetic field）が生じる。これは沸騰容器の内部において、るつぼの外部で且つできる限りるつぼの近くに、コイルを設置する必要がある。
【０００５】
しかし、ボイラーの内部にるつぼの加熱部分が設けられているので、コイルは少なくとも部分的にヒーターの加熱力を冷やすことになる。コイルはるつぼの中に設置できない。それはコイルが溶融物と化学反応を起こすか、それ自体が溶融物の高温により溶融するか、または冷却時にシリコンの溶融を妨げるからである。
【０００６】
従って本発明は、溶融物の中で対流を操作して、溶融物から抽出された結晶をできるだけ均一になるように、適切でシンプルな手段で磁界形成し、それによって溶融物を熱して、問題を解決するという課題を基本にしたものである。
【課題を解決するための手段】
【０００７】
この課題を解決するため、装置は本願の請求項１の導入部によると、導体材料の中空円筒体から成り、それは何度か周囲を回るスリットによって、単一の層状に積み重なった螺旋状の電流路を形成し、それは電力供給部に接続できる接点によって、セグメントに分割され、その各々がコイルを形成する。
【０００８】
従って本発明を支える要点は、冷えない高温抵抗コイルを使用することである。本発明の次の段階は、どの場合でも必要なヒーターを所望のコイルと組み合わせることであり、コイルが大きなグラファイト製伝導ロッドで形成され、抵抗の調節、すなわち必要な熱電力を送ることによって正確な磁界を生じさせる。
【０００９】
ツォクラルスキー法（CZ）の場合、例えばガラスガードで低圧真空チャンバ内に、クォーツガラスによって作られたるつぼにおいて、プロセスを実行している。ここでグラファイトから作られたヒーターを、るつぼの周囲に形成して使用することが、広く知られている。それによって導体レールが曲折した形で配列され、そのレイアウトは、もし完全なグラファイトシリンダーであれば上方から下方及び下方から上方へ交互にスリットが入れられ、その度にウエブが架橋結合のために開いたままになっている。それによって、互いに上下する電流が各々に生じる電界を補正して、不充分な電界をるつぼに生じさせないようにしている。
【００１０】
またCZ法の場合で発明力のある着想は、導体レールのトラックがるつぼの周囲で螺旋状経路を介して通るようにすることで、電流の方向が常に同じ方向のままであるようにして、既によく知られているグラファイトヒーターを新たに設計することである。CZ法の場合、本発明の要点に関連して、リニアモーターのようにコイルアレイが溶融物に作用し、それによって溶融物の外領域の動作方向が、電流の方向に依存して上向きまたは下向きになる。ここで交流（rotary current, Drehstrom）の周波数が増加しながら、ごく希薄な領域が溶融物内で動くように、表皮効果を活用できる。
【００１１】
このコイルアレイによって、移動磁界（traveling magnetic field）を生じさせることができ、それが半導体溶融領域の中に入り、それによって結晶成長プロセスに好適な電導性の溶融物に流れを生じさせる、特にコイルの数によって一部で決定される位相ずれと交流電流の周波数の変化によって、特定の速度を調整でき、それにより電界が溶融物を介して軸線方向に移動する。しかし、溶融物は特定の温度に維持する必要があり、その温度は原則的に溶融に適応した材料の溶融ポイントの少し上である。そのために抵抗ヒーターが、るつぼの周囲に配置されている。それに加えて、コイルが加熱機能を引き継ぎでき、コイルを通過する電流がその抵抗により熱を発し、それはるつぼにおける材料の溶融と、溶融物の温度の維持のための両方に作用する。
【００１２】
ここで本発明による解決手段は、中空円筒体が細いスリットを除いて、その殆ど閉じた内側領域に、均一な熱放射のため特に良好な熱放射源を形成する。
【発明を実施するための最良の形態】
【００１３】
導電コイルが好ましくは互いに星形または三角結線により接続され、回路のアレイに依存してコイルが回転電流源（source of rotary current、Drehstromquelle）の電極に接続される。回転電流のそのような電源は一般的に結晶成長装置自体の据付場所において利用できるようになっており、本発明により必要とされるようなコイル用の電力供給部が利用でき、追加の経費はない。
【００１４】
電界の時間変化に関係なく、誘導電流の強さを単独で決定する発熱力を調節するため、コイルを更に直流電源に接続し、それにより交流電流に加えて、単独で発熱力に関連する直流電流をコイルに生じさせる。
【００１５】
もし螺旋状のスリットが同じ方向感覚で中空円筒体に沿った進路に伸びていれば、中空円筒体が、螺旋状のスリットを容易に備えることができる。
【００１６】
コイルに電力を供給するため、軸線方向で上下に配置された三個のコイルを形成するセグメントがあって、各々が回転電流源（rotary current source）の相と接触する二個のポイントを有している。
【００１７】
接触ポイントが、中空円筒体の内側表面及び外側表面に沿って伸びる導電レールトラックに接触し、中空円筒体の端部にある接続部で終端し、接続部が回転電流源の位相に関連している。これにより、結晶成長装置の接続部がケーシングの底部に配置され、コイルまたは抵抗ヒーターを囲む絶縁外板が、接続部用に開口部を必要としないという利点を有する。これによって非常に小型で且つ好適に絶縁された装置を提供する。
【００１８】
レールトラックは熱抵抗要素としても機能でき、そのため熱抵抗要素は直流電源に接続される。
【００１９】
上記全ての構成要素を考慮することで、移動磁界が同時発生することにより半導体結晶成長装置において電気抵抗加熱するための装置を得る。特に本発明の目的は、溶融物から単結晶半導体結晶を成長するために、アレイで電気抵抗要素を構成し、抵抗要素を通して流れる交流電流が、電界も発生させるように設計することである。従って本発明は、半導体結晶成長装置の電気抵抗ヒーター用の装置を本質的に構成し、本質的に中空円筒形をした抵抗ヒーターが、軸線方向で上下に配置された三個のセグメントから成ること、単独層コイルの電流経路が、特別な螺旋状スリットによって画定され、螺旋状スリットと同じ方向であること、互いに上下に位置する三個のセグメントが回転電流源の三相と接続するために各々接触部を有することを特徴とする。
【００２０】
コイルを抵抗ヒーター及び磁界の発生装置として二重使用することは、従来のように溶融物の過熱のため専門的に利用する抵抗ヒーターとして使用するよりも更なる利点を有し、それらはるつぼの直ぐ隣にあるボイラー容器に配置できる。これとは逆に従来型の設置は、磁界発生のための磁界コイルが抵抗ヒーターと分離して沸騰容器の外部に配置されている。
【００２１】
ゆえに例えばツォクラルスキー法（CZ）を基礎としたもののように、シリコン結晶成長用の装置において、クォーツガラスから作られたボイラー容器を使用しているが、それはボイラー容器の外部でコイルアレイによって発生する時間依存正の磁界を充分遮断しない。しかしそれらの結晶ガラス容器はかなり高額で、現在の発展状況では結晶成長装置内に適切な寸法で製作できない。更なる問題として、VOP法による複合導体結晶（compound semiconductor crystals）を成長させるような装置の場合、クォーツガラスから作られた壁を有するボイラー容器が話題にならない。なぜなら工業製品において、通常は結晶が高圧状態で成長されるからである。他方で共通のコイルアレイ、例えば銅ワイヤーの使用は、熱が原因で装置の水冷容器に適していない。
【００２２】
本発明は、スリット構造を有する中空円筒体の形で溶融物を囲む電気抵抗ヒーターを使用することによって問題を解決し、それにより加熱電流を螺旋状トラックを介して強制的に流し、抵抗ヒーターが電界発生のために単一層のコイルのように作用する。グラファイトが2000℃以上の温度抵抗を達成できるという特別な利点を持っているので、抵抗ヒーター用の材料として使用できる。等圧圧縮グラファイト（isostatically pressed graphite）から作られた円筒状抵抗熱要素を使用することは、半導体結晶成長工業において今日の標準的な業務である。交流電流により抵抗ヒーターのプロセスにおいて、時間依存の交番磁界（alternating field）を生じさせる。
【００２３】
ここに提示された本発明は、装置内での電気加熱に必要な電流が交番磁界の発生のため同じように使用される。それに関して、分離電界コイルまたは分離電界コイル用の分離電力供給部が必要である。更に抵抗ヒーターが、同時にコイルアレイとして設計され、高温で安定するもので、装置の中心領域すなわち溶融領域を取り囲む。それにより磁界を生じさせるための寸法が、最小にできる。更に交番電界が、結晶成長装置のボイラー壁を通過する必要がないので、ボイラー容器を鉄製ボイラーとして通常の方法で設計できる。更に装置の外部において遮蔽の問題がない。高圧結晶成長装置の場合、溶融領域における交番磁界の発生が本発明によって全体的に可能である。ここに提示された本発明の別の重要な利点は、ヒーターコイル設置の中空円筒状形態が、結晶成長装置において最も共通して使用される加熱構成体に対応しているので、主に構造的な出費を必要がなく、現行の装置と組み合わせできるか、または電流のために充分な数の貫通路を利用できる限り、後でも取り付けできることである。
【００２４】
以下で本発明を添付図面を参照して詳しく説明する。
【実施例１】
【００２５】
図１には、本発明による加熱コイルアレイを示す一例が示されており、等圧圧縮グラファイトにより好適に製造され得た中空円筒体１が、特に螺旋状スリット２を備えている。用語“螺旋状”は、図１に示したような階段状のコースも含んでいる。更にアレイは四個の電気接触ポイント３、４、５及び６を有しており、それらは交流電流を送る。図１に示されている例で、三角結線は、中空円筒体１の長さに沿って延びる第一レールトラック８によって、回転電流源の第一相を、第一レールトラックによって接続されている第一接触ポイント３、第四接触ポイント６に接続し、次の相を第二トラック７によって、第二接触ポイント４に接続し、第三相を第三トラック９によって第三接触ポイント５に接続することで、行われている。トラック７、６、９が耐高温ネジによって中空円筒体１にネジ留めされ得、ネジは例えばコールファイバー（coal fiber）材料CFCから作られ得る。回転電流源と接触するため、トラック７、８、９が結晶成長装置のベースに三個の電流導管と共にネジ留めされ得、それに対応する大電流ケーブルがシステムの外部でクランプ留めされる。
【００２６】
電流生成トラック（current forming track）の螺旋状経路が、接触ポイント３〜６で三個のセグメントに分割されるスリット２によって形成され、それらの各々がコイルＡ、Ｂ、Ｃを形成している。トラックが更に高く且つ広くなり、本質的に矩形である。図２は、三角結線された三個のコイルＡ、Ｂ、Ｃの回路を示しており、（一回りで）隣接したコイルの個々に隣接する端部が互いに接続され、且つ回転電流源の相に接続されている。
【００２７】
更に本発明に導入される抵抗ヒーターが、軸線方向の上下に配列された三個のセグメントから成り、その各々が一対のタップによって画定され、タップが軸線方向で上下に配列された三個のコイルに対応している。それらのタップは、図１及び図２で示したように、接触ポイント３及び６、４及び４、５及び５の接続部によって三角結線として形成でき、回転電流源の三個の相に関連するようになっている。また、三個のセグメントがポイント４及び５で互いに分離され得、星形結線のように回転電流源１７の三個の相に関連するように構成されている。両方の場合とも、相を120°ずつ偏倚させた三個の交流電流が、三個のセグメントを介して流れ、それにより装置内に移動磁界を生じさせる。この移動磁界が、三箇所で三相結線の回転方向に依存して、抵抗ヒーター内に位置する半導体溶融物の境界領域において、上向きまたは下向きの電流を生じさせる。これは例えばツォクラルスキー法による装置の場合のように、熱浮遊対流（thermal buoyant convection）を妨げ得、VGF装置の場合は効果的な熱輸送が溶融物の完全な混合によって増加する。
【００２８】
図３には、VGFプロセスによる複合半導体結晶を成長させる高圧結晶成長装置において、上記のような中空円筒体１である本発明による加熱コイルアレイの使用が示されている。その結晶成長装置は、鉄から作られた水冷高圧容器１０を備え、そこには支持るつぼ１２の内部に保持されたるつぼ１１の中に、特に半導体溶融物１３が入っていて、それにより単結晶１４が成長する。半導体材料を溶融するのに必要な高温は中空円筒体１内で到達し、中空円筒体はそれに対して放射状外向きに配置された断熱パック１５によって隔離されている。半導体溶融物１３における典型的な流れのパターン１６が、矢印によって示されており、それは中空円筒体１に関連して、回転電流源１７によって起こされる移動磁界によって生じさせられる。
【００２９】
複合半導体結晶を成長させるためのVGF結晶成長装置において、半導体溶融物１３が典型的には臭化溶融物１８によって覆われ、臭化溶融物はシステム内で上昇する圧力による複合半導体材料の揮発成分の揮発を防止する。
【００３０】
図４には、シリコンまたはゲルマニウム結晶を成長させるためのツォクラルスキー法の装置において、本発明による中空円筒体１の使用を示しており、そこには水冷式の鉄製容器２０を備えており、その中で支持るつぼ２２によって、るつぼ２１が保持され、るつぼ２１の中には半導体溶融物２３が入っている。単結晶が、この半導体溶融物２３から抽出される。半導体材料を溶融するために必要な高温が、断熱パック２５に関連して中空円筒体１を使用することで達成される。半導体溶融物２３に関する典型的な流れのパターン２６が、矢印によって示され、それは熱浮遊対流により生じさせられるもので、中空円筒体１によって、回転電流源１７により生じる移動磁界に関連して妨げることができる。
【００３１】
特に本発明は、導電性溶融物を抵抗加熱によって用意し、溶融物の流れに対する所望の影響が技術的に重要である全ての装置に使用できる。本発明は、それら全てのシステムにおいて特別有利に使用され、現在でも円筒状の抵抗加熱要素が高圧下、または低圧の保護ガス体において、或いは真空中で使用されている。
【図面の簡単な説明】
【００３２】
【図１】周囲螺旋状スリットの三個のセグメントを備え、各々が磁界発生コイルを形成する中空円筒状抵抗加熱要素。
【図２】図１のコイルに関する三角結線図。
【図３】VGF結晶成長装置における抵抗ヒーター要素の本発明による構成。
【図４】CZ法による結晶成長装置における抵抗ヒーター要素の本発明に関する構成。
【図１】
2007509026.tif 000003
【図２】
2007509026.tif 000004
【図３】
2007509026.tif 000005
【図４】
2007509026.tif 000006
【国際調査報告】
2007509026.tif 000007
2007509026.tif 000008
2007509026.tif 000009
2007509026.tif 000010
2007509026.tif 000011
2007509026.tif 000012